(57)【要約】【課題】放送番組の関連サイトへアクセスするのに必要な情報を一度入手したら、いつでもどこでもその関連サイトへアクセスできるようにする。【解決手段】放送を受信する放送受信機１と通信を行うローカル通信装置２３と、ネットワーク５と通信を行う移動体通信装置２４と、ローカル通信手段２３を用いて、放送受信機１が受信中のチャンネル情報を要求し、チャンネル情報を放送受信機１から受信した際の日時情報を取得し、移動体通信装置２４を用いて、チャンネル情報と日時情報をネットワーク５上の検索サイト３に送信する中央処理装置２６とを備える。【選択図】　図３
2004128826.tif 000002
【特許請求の範囲】
【請求項１】
放送を受信する放送受信機において、
インターネットに接続可能な通信端末と通信を行う通信手段と、
前記通信端末から要求に応じて、受信中の放送局のチャンネル情報を検出する放送局検出手段と、
前記チャンネル情報を、前記通信端末に通知する通知手段とを備えることを特徴とする放送受信機。
【請求項２】
放送受信機が受信中の前記チャンネル情報を、インターネットに接続可能な通信端末に対し提供する、前記放送受信機による放送局情報提供方法において、
前記通信端末から要求を受けた場合に、前記チャンネル情報を検出し、
前記チャンネル情報を、前記通信端末に通知することを特徴とする放送局情報提供方法。
【請求項３】
ネットワークに接続可能な通信端末において、
放送を受信する放送受信機と通信を行うローカル通信手段と、
前記ネットワークと通信を行うリモート通信手段と、
前記ローカル通信手段を用いて、前記放送受信機が受信中のチャンネル情報を要求する要求手段と、
前記要求に応じた前記チャンネル情報を前記放送受信機から受信した際の日時情報を取得する取得手段と、
前記リモート通信手段を用いて、前記チャンネル情報と前記日時情報を前記ネットワーク上のサイトに送信する送信手段とを備えることを特徴とする通信端末。
【請求項４】
前記チャンネル情報及び前記日時情報を記憶する記憶手段と、
操作者から読出し指示があった場合に、前記チャンネル情報及び前記日時情報を前記記憶手段から読み出す読出手段と、
読み出された前記チャンネル情報及び前記日時情報を表示画面に表示する表示手段とを備え、
前記送信手段は、前記操作者から、表示された前記チャンネル情報及び前記日時情報に対する選択指示を受け付けた場合に、前記チャンネル情報と前記日時情報を前記ネットワーク上のサイトに送信することを特徴とする請求項３に記載の通信端末。
【請求項５】
前記サイトは、前記チャンネル情報と前記日時情報に基づいて、放送番組に関連する情報を提供可能で、
前記送信手段は、前記放送番組に関連する情報を前記サイトへ要求し、
前記リモート通信手段は、前記放送番組に関連する情報を前記サイトから受信することを特徴とする請求項３に記載の通信端末。
【請求項６】
前記サイトは、前記チャンネル情報と前記日時情報に基づいて放送番組に関連する情報を提供可能な他のサイトを検索可能で、
前記送信手段は、前記他のサイトの検索を前記サイトへ要求し、
前記リモート通信手段は、前記他のサイトをアクセスするための情報を前記サイトから受信し、
当該通信端末は、さらに、前記他のサイトをアクセスするための情報に基づいて、前記放送番組に関連する情報を前記他のサイトへ要求する送信手段を備えることを特徴とする請求項３に記載の通信端末。
【請求項７】
前記チャンネル情報は、前記放送の周波数を含む請求項３に記載の通信端末。
【請求項８】
放送受信機から提供されるチャンネル情報を、インターネットに接続可能な通信端末が利用する放送局情報利用方法において、
前記通信端末の要求手段が、前記通信端末のローカル通信手段を用いて、前記放送受信機が受信中のチャンネル情報を要求し、
前記ローカル通信手段が、前記要求に応じた前記チャンネル情報を前記放送受信機から受信し、
前記通信端末の取得手段が、前記チャンネル情報を受信した際の日時情報を取得し、
前記通信端末の送信手段が、前記通信端末のリモート通信手段を用いて、前記チャンネル情報と前記日時情報を前記ネットワーク上のサイトに送信することを特徴とする通信端末。
【発明の詳細な説明】
【０００１】
【発明の属する技術分野】
本発明は、放送番組に関連する情報を提供する番組関連サイトにアクセスするための機器及び方法に関する。
【０００２】
【従来の技術】
【特許文献１】特開平１０−１６４５２９号公報
【特許文献２】特開平１０−１７７５３２号公報
【特許文献３】特開２００２−１０８７５０号公報
特許文献１や特許文献２には、放送番組に関連する情報を提供する番組関連サイトに、放送の視聴者が負担を感じることなく簡便にアクセスすることが開示されている。
【０００３】
特許文献１に記載の技術は、放送事業者が、番組関連サイトにアクセスするためのＵＲＬ（Ｕｎｉｆｉｅｄ　Ｒｅｓｏｕｒｃｅ　Ｌｏｃａｔｏｒ）を放送データ中に内包して放送することで、視聴者は、受信したＵＲＬを用いて番組関連サイトにアクセスすることができ、視聴者自らがＵＲＬを入手し、入力する手間を省けるようになるというものである。
【０００４】
特許文献２に記載の技術は、放送を受信する受信機が、放送中の番組を特定する情報をキーとして、受信機内にもつ電子番組表を参照し、番組関連サイトにアクセスするためのＵＲＬを取得することで、視聴者は、該ＵＲＬを用いて番組関連サイトにアクセスすることができ、視聴者自らがＵＲＬを入手し、入力する手間を省けるようになるというものである。
【０００５】
上記２つの技術は、番組関連サイトに簡便にアクセスできる方法を提供するものであるが、番組視聴中に限ってしか有効でないことが課題であるとし、番組視聴後も同様に、番組関連サイトに簡便にアクセスできるよう解決した技術として、特許文献３の技術がある。
【０００６】
特許文献３に記載の技術は、放送等メディア情報を受信する受信機が、番組関連サイトを特定可能な特定情報を記憶することで、視聴者は、番組視聴後も、記憶されている特定情報を用いて番組関連サイトに簡便にアクセスすることができるようになるというものである。
【０００７】
【発明が解決しようとする課題】
上述の技術は、番組の視聴者が、番組に関連する情報を提供する番組関連サイトに簡便にアクセスすることを実現するが、これら技術は、受信機上あるいは受信機設置場所近くにあるインターネット接続機器から該アクセスを行うため、受信機が携帯可能サイズでない場合、サイト閲覧可能な場所は受信機の設置してある場所に制限されてしまい、利便性に欠ける。
【０００８】
また、特許文献３の技術では、受信機と接続されるインターネット接続機器側から番組関連サイトにアクセスする際、必ず受信機内に記憶されている上述の特定情報を利用するために、番組視聴中即座に番組関連サイトにアクセスしたい場合でも、一度特定情報を記憶する操作をしなければならず、不便である。また、番組関連サイトを特定可能な特定情報は、放送等メディア情報を受信する受信機の内部に記憶されるため、受信機が複数ある場合には、特定情報が複数台に分散化した状態になってしまい、それらの中から利用したい特定情報を見つけ出す際には検索性が悪く不便である。また、受信機内に記憶されている特定情報は、外部の装置から通信インタフェース経由により読出し、利用が可能であるが、受信機の電源がオフの場合には、該受信機のある場所まで出向いて電源を投入してから読出し、利用手続をする必要があり、利便性に欠ける。
【０００９】
本発明の目的は、放送受信機の設置場所にかかわらず、いつでもどこでも番組関連サイトへアクセスすることが可能であり、かつ操作の利便性が改善された装置及び方法を提供することである。
【００１０】
【課題を解決するための手段】
本発明の受信機は、インターネットに接続可能な通信端末と通信を行う通信手段と、通信手段により、通信端末から放送局検出要求が送られてきた場合に、その時点において受信中の放送局を示す放送局情報（例えば、チャンネル情報）を検出して、当該情報を含む検出結果を生成する放送局検出手段と、通信手段を用いて、放送局検出要求に対する放送局検出手段での検出結果を、当該要求を送信した通信端末に通知する通知手段とを備える。
【００１１】
本発明の通信端末（例えば、携帯電話やＰＤＡ）は、放送を受信する放送受信機と通信を行うローカル通信手段と、インターネット上のサイトと通信を行うリモート通信手段と、ローカル通信手段を用いて、放送局検出要求を放送受信機に送信して、当該放送受信機に放送局情報を検出させる放送局検出要求手段と、ローカル通信手段により、放送受信機から放送局検出要求に対する検出結果が送られてきた場合に、その時点の日時情報を取得する日時情報取得手段と、リモート通信手段を用いて、検出結果に含まれる放送局情報と日時情報取得手段で取得の日時情報からなる番組関連サイト検索要求を所定のサイトに送信して、当該サイトに番組関連サイトを検索させる番組関連サイト検索要求手段とを備える。
【００１２】
【発明の実施の形態】
図１は、本発明の放送受信機、携帯端末を含んだ、放送番組の関連情報を提供するシステムの概要システム構成を例示している。
【００１３】
放送受信機１は、テレビまたはラジオ放送を受信する受信機であり、受信するテレビ、ラジオ放送について、デジタル／アナログの別、地上波／衛星波の別は問わない。携帯端末２は、個人に携帯される携帯端末であり、具体的には、携帯電話やＰＤＡ（Ｐｅｒｓｏｎａｌ　Ｄｉｇｉｔａｌ　Ａｓｓｉｓｔａｎｔ）、ポータブルＰＣ（Ｐｅｒｓｏｎａｌ　Ｃｏｍｐｕｔｅｒ）がこれに相当する。携帯端末２は、放送受信機１と通信可能な構成となっているとともに、移動体通信網やインターネットなどのネットワーク５経由で、検索サイト３及び番組関連サイト４とも通信可能な構成となっている。検索サイト３は、携帯端末２からネットワーク５経由で送られてきた情報をもとに、関係付けられるＵＲＬを検索するサイトであり、検索した結果、ＵＲＬが得られた場合には、該ＵＲＬが示すサイトへのアクセスを促す処理が実行される。番組関連サイト４は、前記ＵＲＬによって位置が示される、番組関連情報の提供サイトであり、番組出演者プロフィールや番組内容説明、番組に関するアンケートやプレゼント情報など、番組に関する情報提供を行う。検索サイト３がなく、番組関連サイト４が、放送局情報と日時情報を受信し、放送局情報と日時情報に対応する放送番組に関連する情報を、携帯端末２へ送信してもよい。
【００１４】
図２は、本発明の放送受信機１の概要機能構成を例示している。受信装置１１は、テレビまたはラジオ放送を受信する受信装置である。放送局情報の検出も受信装置１１で行う。出力装置１２は、受信装置１１で受信した放送内容の出力を行う出力装置であり、映像を表示するディスプレイや、音声を出力するスピーカなどがこれに相当する。対携帯端末用通信装置１３は、携帯端末２と通信するための通信装置であり、具体的には、赤外線やブルートゥース、無線ＬＡＮ（Ｌｏｃａｌ　Ａｒｅａ　Ｎｅｔｗｏｒｋ）などが挙げられる。ＵＳＢ（Ｕｎｉｖｅｒｓａｌ　Ｓｅｒｉａｌ　Ｂｕｓ）など、有線接続のインタフェースであっても構わない。中央処理装置（ＣＰＵ）１４は、プログラム（ソフトウェア）に従って、各種の処理を実行する。
【００１５】
図３は、本発明の携帯端末２の概要機能構成を例示している。記憶装置２１は、放送受信機１から受信した放送局情報や、カレンダー及び時刻情報を保持する時計装置２２から取得した日時情報を記憶する記憶装置である。具体的には、フラッシュメモリやハードディスクなどがこれに相当する。該装置は、必ずしも端末内に内蔵される必要はなく、メモリスロットに挿入される形態であっても良い。ローカル通信装置２３は、放送受信機１と通信が可能な通信装置であり、具体的には、赤外線やブルートゥース、無線ＬＡＮ等の無線インタフェースのほか、ＵＳＢなどの、有線接続のインタフェースが挙げられる。ローカル通信装置２３は、上述の対携帯端末用通信装置１３との間でデータ送受信を行うので、両者の通信インタフェースは一致したものとなっている。移動体通信装置２４は、移動体通信網に接続するための通信装置である。該装置は、端末内に内蔵されることは必須でなく、メモリスロットに挿入されたり、ケーブル経由でアタッチされることがあってもよい。表示装置２５は、端末処理内容を表示する表示装置であり、液晶スクリーンなどがこれにあたる。中央処理装置（ＣＰＵ）２６は、プログラム（ソフトウェア）に従って、各種の処理を実行する。
【００１６】
図４は、図３の携帯端末２において、放送局情報及び日時情報の記憶処理が行われることにより記憶装置２１に記憶される記憶内容を例示している。たとえば図中一番上に記載されている項目は、視聴者が、「７月１日に周波数７５．５ＭＨｚの放送番組を視聴中、１０：００の時点で、放送局情報の取得指示を行った」ことを示している。記憶装置２１に記憶されたこれら情報は、番組を視聴中か否かにかかわらず、番組関連サイトへアクセスする際に、検索サイト３へ送る情報として利用することができる。　図４では、放送局情報の値が単位「ＭＨｚ」のついた数値になっており、ＦＭラジオ放送を意識した記載となっているが、あくまで一例であり、対象とする放送をＦＭ放送に限定するものではない。また、放送局情報は、数値で表現される必要もなく、個々が識別可能な値となっていれば良い。
【００１７】
次に、本発明の放送受信機、携帯端末の動作について説明する。
【００１８】
まず、放送受信機１の動作について説明する。
【００１９】
図５は、放送受信機１の概要動作を例示している。まず、対携帯端末用通信装置１３が、携帯端末２から放送局情報検出要求を受け取ると（ステップＳ１００１）、該要求を受信装置１１に伝える。受信装置１１は、放送局情報検出手続を行い（ステップＳ１００２）、検出した放送局情報を対携帯端末用通信装置１３へ渡す。最後に、対携帯端末用通信装置１３は、検出要求を送信した携帯端末２へ放送局情報を含む検出結果を送信する（ステップＳ１００３）。以上の手順により、放送受信機１は、携帯端末２が番組関連サイト４へ接続するために必要な放送局情報を、携帯端末２へ提供することが可能になる。
【００２０】
次に、携帯端末２の動作について説明する。本実施形態では３つの動作モードがあるため、図６〜図８を参照して、各動作を説明する。
【００２１】
図６は、携帯端末２の第１の動作モードにおける概要動作を例示している。まず、操作者による指示にもとづき、ローカル通信装置２３が、放送受信機１へ放送局情報検出要求を送信する（ステップＳ２０１１）。次に、ローカル通信装置２３が、放送受信機１から検出結果を受け取ったならば（ステップＳ２０１２）、検出結果から放送局情報を抽出するとともに、時計装置２２を用いて日時情報の取得を行う（ステップＳ２０１３）。そして移動体通信装置２４は、移動体通信網経由で検索サイト３へ、放送局情報、日時情報からなる番組関連サイト検索要求を送信し（ステップＳ２０１４）、検索サイト３により検索された番組関連サイト４へ接続する（ステップＳ２０１５）。以上の手順により、携帯端末２は、放送受信機１から入手した放送局情報と、放送局情報入手時の日時を利用し、番組関連サイト４へアクセスすることが可能になる。
【００２２】
図７は、携帯端末２の第２の動作モードにおける概要動作を例示している。まず、操作者による指示にもとづき、ローカル通信装置２３が、放送受信機１へ放送局情報検出要求を送信する（ステップＳ２０２１）。次に、ローカル通信装置２３が、放送受信機１から放送局情報を含む検出結果を受け取ったならば（ステップＳ２０２２）、検出結果から放送局情報を抽出するとともに、時計装置２２を用いて日時情報の取得を行う（ステップＳ２０２３）。そして、放送局情報と日時情報をペアにして、記憶装置２１に記憶する（ステップＳ２０２４）。以上の手順により、携帯端末２は、放送受信機１から入手した放送局情報と、放送局情報入手時の日時情報を、後で番組関連サイト４へアクセスする時のために保存することができるようになる。
【００２３】
図８は、携帯端末２の第３の動作モードにおける概要動作を例示している。まず、操作者による読出し指示があったら、記憶装置２１から、これまでに記憶した放送局情報と日時情報のペア（群）を読み出し（ステップＳ２０３１）、読み出した内容を表示装置２５に表示する。次に、操作者による選択指示があったら、移動体通信装置２４は、読み出した内容の中から選択された放送局情報と日時情報からなる番組関連サイト検索要求を、移動体通信網経由で検索サイト３へ送信する（ステップＳ２０３２）。そして、移動体通信装置２４は、検索サイト３により検索されたＵＲＬが示す番組関連サイト４へ接続する（ステップＳ２０３３）。
【００２４】
以上の手順により、携帯端末２は、記憶装置２１に保存しておいた放送局情報と、放送局情報入手時の日時情報を利用して、番組関連サイト４へアクセスすることができるようになる。
【００２５】
【発明の効果】
本発明によれば、番組関連サイトへアクセスするのに必要なサイト特定情報を、通信端末内に記憶することができるので、番組視聴時に記憶しておけば、通信端末を持ち運ぶことで、いつでもどこでも番組関連サイトへアクセスすることが可能となり、利便性が向上する。
【００２６】
また本発明によれば、番組視聴中即座に番組関連サイトにアクセスする場合には、サイト特定情報を記憶装置に記憶する操作をする必要がなくなるので、インターネット接続機器たる通信端末の使い勝手が改善される。
【００２７】
また本発明によれば、放送受信機が複数ある場合でも、サイト特定情報を一つの通信端末内に記憶し、一元管理することができるので、利用したいサイト特定情報を見つけやすくなり、利便性が向上する。
【００２８】
また本発明によれば、放送受信機に必要な新たな装置は、放送局情報を検出して、その情報を外部のインターネット接続機器たる通信端末に伝えるだけの簡素な装置だけなので、さまざまな放送受信機に簡易に適用することが可能である。
【図面の簡単な説明】
【図１】本発明の放送受信機、携帯端末を含む、放送番組に関連する情報を提供するシステムの概要図である。
【図２】本発明の放送受信機の概要機能構成図である。
【図３】本発明の携帯端末の概要機能構成図である。
【図４】本発明の携帯端末における記憶装置に記憶される内容の例である。
【図５】本発明の放送受信機における動作フローの例である。
【図６】本発明の携帯端末における動作モード１の場合の動作フロー例である。
【図７】本発明の携帯端末における動作モード２の場合の動作フロー例である。
【図８】本発明の携帯端末における動作モード３の場合の動作フロー例である。
【符号の説明】
１…放送受信機、２…携帯端末、３…検索サイト、４…番組関連サイト、１１…受信装置、１２…出力装置、１３…対携帯端末用通信装置、１４、２６…中央処理装置、２１…記憶装置、２２…時計装置、２３…ローカル通信装置、２４…移動体通信装置、２５…表示装置。
【図１】
2004128826.tif 000003
【図２】
2004128826.tif 000004
【図３】
2004128826.tif 000005
【図４】
2004128826.tif 000006
【図５】
2004128826.tif 000007
【図６】
2004128826.tif 000008
【図７】
2004128826.tif 000009
【図８】
2004128826.tif 000010